(57)【要約】【課題】化粧料を顔面等に均等に付けることができ、また、顔面等への付きも良く、しかも、優れたマッサージ効果を有する電動式化粧用具を提供する。【解決手段】柄部１と、この柄部１に固定され化粧用具３を保持する保持部２とを備えている。そして、上記柄部１および保持部２の少なくとも一方に電動式振動手段４を設け、この電動式振動手段４により上記保持部２を振動させるようにしている。【選択図】図３
2006238998.tif 000002
【特許請求の範囲】
【請求項１】
柄部と、この柄部に固定され化粧用具を保持する保持部とを備え、上記柄部および保持部の少なくとも一方に電動式振動手段を設け、この電動式振動手段により上記保持部を振動させるように構成したことを特徴とする電動式化粧用具。
【請求項２】
上記電動式振動手段が、電動モータと、この電動モータの回転軸に取り付けたアンバランスウエイトとを備えた振動モータである請求項１記載の電動式化粧用具。
【発明の詳細な説明】
【技術分野】
【０００１】
本発明は、パフ，コットン等の化粧用具を振動させながら使用することができる電動式化粧用具に関するものである。
【背景技術】
【０００２】
従来から、ファンデーション等の各種化粧料を顔面等に塗布する場合に、パフ等がよく用いられているが、パフ等を直接に手指に持って塗布しているため、パフ等に付着した化粧料で手指が汚れるという問題がある。そこで、図８に示すように、細板状の柄３１の先端に円形のクリップ３２を一体に設け、このクリップ３２に、円形のパフ３３の背面に取り付けた帯状の添布３４を着脱自在に挟着するようにしたパッティング用具が提案されている（例えば、特許文献１参照）。このようなパッティング用具では、柄３１を手指で把持し、パフ３３に付着させた化粧料を顔面等に塗布しているため、手指が汚れることがない。しかも、パッティングすることで、マッサージ効果もある。
【特許文献１】特開平１０−３２３２２０号公報
【発明の開示】
【発明が解決しようとする課題】
【０００３】
しかしながら、上記のパッティング用具では、柄３１を手指で把持し、この柄３１の先端のクリップ３２に取り付けたパフ３３で化粧料を顔面等に塗布しているうえ、板材からなるクリップ３２がパフ３３の背面にあるため、パフ３３を顔面等の起伏等に沿わせて移動させることが難しく、化粧料を顔面等に均等に付けることができず、また、顔面等への付きも悪い。しかも、パッティングするだけでは、顔面等に適度の刺激を与えて血行を良くする等のマッサージ効果に劣る。
【０００４】
本発明は、このような事情に鑑みなされたもので、化粧料を顔面等に均等に付けることができ、また、顔面等への付きも良く、しかも、優れたマッサージ効果を有する電動式化粧用具の提供をその目的とする。
【課題を解決するための手段】
【０００５】
上記の目的を達成するために、本発明の電動式化粧用具は、柄部と、この柄部に固定され化粧用具を保持する保持部とを備え、上記柄部および保持部の少なくとも一方に電動式振動手段を設け、この電動式振動手段により上記保持部を振動させるように構成したという構成をとる。
【発明の効果】
【０００６】
すなわち、本発明の電動式化粧用具は、柄部、およびこの柄部に固定され化粧用具を保持する保持部の少なくとも一方に電動式振動手段を設け、この電動式振動手段により上記保持部を振動させるようにしている。このように、本発明の電動式化粧用具では、上記電動式振動手段を作動させて保持部を振動させ、これに伴って、保持部に保持する化粧用具を振動させることができるため、使用時には、柄部を手指で把持しながら、振動する化粧用具で化粧料を顔面等に塗布等することができ、顔面等の起伏等に対応して化粧料を顔面等に均等に、満遍なく塗布等することができるうえ、顔面等への付きも良い。しかも、振動する化粧用具で顔面等に適度の強さ，時間で刺激を与えることができるため、血行を良くする等のマッサージ効果に優れる。なお、本発明において、「電動式振動手段」としては、各種の振動モータ（例えば、電動モータと、この電動モータの回転軸に取り付けたアンバランスウエイトとを備えた振動モータ）等、振動を発生させることができる各種の電動式振動手段が用いられる。また、「化粧用具」としては、パフ，コットン，爪やすり，フレンジングシート等のメイク落とし具，ヘアーブラシ，フェイスブラシ等、各種の化粧用具があげられる。
【０００７】
また、上記電動式振動手段が、電動モータと、この電動モータの回転軸に取り付けたアンバランスウエイトとを備えた振動モータであると、構造が簡単であり、小形で安価なものを容易に入手することができ、便利である。
【発明を実施するための最良の形態】
【０００８】
つぎに、本発明の実施の形態を図面にもとづいて詳しく説明する。
【０００９】
図１および図２は本発明の電動式化粧用具の一実施の形態を示している。この実施の形態では、電動式化粧用具として、電動式パフが用いられている。これらの図において、１は柄部であり、２は化粧用具（この実施の形態では、パフ）３を保持する保持部であり、上記柄部１に電動式振動手段４（図３参照）を介して連結，固定されている。
【００１０】
上記柄部１には、図３に示すように、その本体ケース１１の内部に、アルカリ乾電池１２を保持する乾電池保持部１３が形成されているとともに、上記本体ケース１１には、アルカリ乾電池１２を出し入れするための開口部１４が形成されており、この開口部１４が蓋部１５で開閉自在に蓋されている。また、上記本体ケース１１にはオン・オフ用ボタン１６が取り付られており、本体ケース１１の内部に設けたスイッチ１７をオン・オフする作用をする。図３において、１８は上記本体ケース１１の外周面に取り付けられたＯリングで、１９は上記本体ケース１１の内部に固定された錘で、この錘１９で柄部１を重くすることで、上記電動式振動手段４により発生する振動で上記本体ケース１１が振動するのを抑える作用をする。２０ａ〜２０ｃは配線（図３では、配線２０ａ，２０ｂは本体ケース１１外を通っているように図示されているが、実際は本体ケース１１内に配設されている）である。
【００１１】
上記保持部２は、図４および図５に示すように、筒状に形成された連結部２１と、円形平板状に形成された取付部２２とからなっており、一端部（図では、上端部）が上記取付部２２の裏面に一体的に連結されている。また、上記連結部２１の他端部（図では、下端部）の内周面には、その他端開口部から内側に延びる円筒形状の段部２１ａが形成されており、この段部２１ａが、後述する電動式振動手段４の筒状体２７に抜け止め状に外嵌しており（図３参照）、これにより、上記連結部２１の他端部が上記筒状体２７に抜け止め状に連結，固定されている。
【００１２】
５は装着具であり、上記化粧用具３と、この化粧用具３の裏面外周部に取り付けた弾性筒状具２４とからなり、上記化粧用具３が上記取付部２２の表面に配設された状態で、弾性筒状具２４がその弾性を利用して取付部２２の周側面および裏面に巻回状に保持されている。
【００１３】
上記電動式振動手段４は、図３に示すように、電動モータ２５と、この電動モータ２５の回転軸２５ａに取り付けられたアンバランスウエイト２６（図６参照）と、それ自体の内周面を上記電動モータ２５の外周面に外嵌状に当接させた状態で上記電動モータ２５を収容，保持する筒状体２７とからなっており、この筒状体２７の一端部（図面では、下端部）が、上記柄部１の本体ケース１１の上端開口部内周面に形成された環状鍔部１１ａに抜け止め状に固定されている。また、上記筒状体２７の他側部が、上記したように、上記保持部２の連結部２１の段部２１ａに抜け止め状に固定されている。なお、この実施の形態では、上記柄部１と保持部２との間に所定の隙間を設けているが、この隙間に防振用弾性部材（図示せず）を配設するようにしてもよい。図３において、２８は上記本体ケース１１の外周面に取り付けられたＯリングである。
【００１４】
上記の構成において、使用時には、上記柄部１を把持し、オン・オフ用ボタン１６を押してスイッチ１７をオン作動させる。これにより、電動モータ２５が作動し、この電動モータ２５の回転軸２５ａが回転するとともに、この回転軸２５ａに取り付けられたアンバランスウエイト２６も回転し、その遠心力により振動が発生し、この振動が筒状体２７を介して上記保持部２の連結部２１，取付部２２に伝達され、この取付部２２に取り付けられた化粧用具３を振動させる（図３の矢印参照）。そして、この振動する化粧用具３を顔面等に当接させながら、この化粧用具３に付着させたファンデーション等の各種化粧料を顔面等に塗布することを行う。
【００１５】
上記のように、この実施の形態では、使用時には、柄部１を手指で把持しながら、振動する化粧用具３で化粧料を顔面等に塗布等することができ、顔面等の起伏等に対応して化粧料を顔面等に均等に、満遍なく塗布等することができるうえ、顔面等への付きも良い。しかも、振動する化粧用具３で顔面等に適度の強さ，時間で刺激を与えることができるため、血行を良くする等のマッサージ効果に優れる。
【００１６】
図７は本発明の電動式化粧用具の他の実施の形態を示している。この実施の形態では、電動式化粧用具として、電動式コットンが用いられており、また、装着具５として、化粧用具３（この実施の形態では、コットンを用いている）を筒状に形成し、その一端開口部５ａを閉塞したものが用いられている。そして、装着時には、上記保持部２の取付部２２に装着具５をその他端開口部（図示せず）から被せたのち、この他端開口部を紐，輪ゴム等（図示せず）で縛って固定することを行う。それ以外の部分は上記実施の形態と同様であり、同様の部分には同じ符号を付している。この実施の形態でも、上記実施の形態と同様の作用・効果を奏する。しかも、化粧用具３としてコットンを用いているため、化粧水，美容液，乳液等を肌に染み込ませやすくなる。
【００１７】
なお、上記両実施の形態では、柄部１と保持部２とを電動式振動手段４を介して連結，固定しているが、これに限定するものではなく、上記電動式振動手段４を柄部１，保持部２の一方にだけ設けるようにしてもよい。例えば、上記柄部１に電動式振動手段４を設けるとともに、この電動式振動手段４から延びる振動伝達棒等の振動伝達手段を上記保持部２もしくは化粧用具３に連結し、上記保持部２を振動させたり、上記化粧用具３を直接振動させたりしてもよい。また、上記保持部２の取付部２２に電動式振動手段４を設け、取付部２２を振動させたり、上記取付部２２に設けた電動式振動手段４を化粧用具３に直接当接させて化粧用具３を直接振動させたりしてもよい。
【００１８】
また、上記両実施の形態では、上記柄部１と保持部２とを抜け止め状に連結，固定し、この保持部２の連結部２１に取付部２２を一体的に固定しているが、上記柄部１に保持部２を着脱自在に連結，固定し、もしくは上記保持部２の連結部２１と取付部２２とを別体に作製して着脱自在に連結，固定してもよい。この場合には、上記取付部２２の表面に装着具５（化粧用具３のみで構成されていてもよい）を接着等により一体的に固定することができる。
【００１９】
また、図１〜図６に示す実施の形態において、装着具５を化粧用具３のみで構成し、保持部２の取付部２２の裏面にクリップ等を設け、上記化粧用具３の裏面の帯状の添布（図８参照）を上記クリップ等に着脱自在に固定することにより、上記取付部２２に化粧用具３を装着するようにしてもよい。また、図７に示す実施の形態においても、同様に、装着具５を化粧用具３のみで構成し、この化粧用具３を上記取付部２２に紐，輪ゴム等（図示せず）で着脱自在に固定するようにしてもよい。
【００２０】
また、図１〜図６に示す実施の形態において、上記保持部２の連結部２１に、スポンジ等からなる化粧用具３を直接固定してもよい。この場合には、上記連結部２１が保持部２を兼用している。また、図７に示す実施の形態においても、同様に、上記保持部２の連結部２１に、コットン等からなる化粧用具３を直接固定してもよい。この場合にも、上記連結部２１が保持部２を兼用している。
【図面の簡単な説明】
【００２１】
【図１】本発明の電動式化粧用具の一実施の形態を示す斜視図である。
【図２】上記電動式化粧用具の要部を示す斜視図である。
【図３】上記電動式化粧用具の要部を示す断面図である。
【図４】柄部および保持部を示す斜視図である。
【図５】上記柄部および保持部の要部を示す斜視図である。
【図６】アンバランスウエイトの説明図である。
【図７】本発明の電動式化粧用具の他の実施の形態を示す斜視図である。
【図８】従来例を示す斜視図である。
【符号の説明】
【００２２】
１  柄部
２  保持部
３  化粧用具
４  電動式振動手段
【図１】
2006238998.tif 000003
【図２】
2006238998.tif 000004
【図３】
2006238998.tif 000005
【図４】
2006238998.tif 000006
【図５】
2006238998.tif 000007
【図６】
2006238998.tif 000008
【図７】
2006238998.tif 000009
【図８】
2006238998.tif 000010